(57)【要約】      （修正有）【課題】画像シートを積層したシート束を２つ折りして任意のページに挿入シートが挿入された製本束を形成する際、挿入シートの挿入ページに応じて画像シート及び挿入シートに形成される原稿画像を正確に割当てる画像形成装置を提供する。【解決手段】原稿画像に対応する画像が形成された画像シート及び挿入シートからなり、複数の画像シートを積層して２つ折りしたシート束の任意のページに画像シートの１／２以下のシートサイズの挿入シートが挿入された製本束を形成するフィニッシャを備えた画像形成システムに適用される画像形成装置であり、挿入シートが、製本束のどのページに挿入されるかに応じて画像シート及び挿入シートに形成される原稿画像の順序及び向きを決定する決定手段と、その決定結果に応じて画像シート及び挿入シートに原稿画像を形成する形成部を備える。【選択図】図９Ａ
2016060121.tif 000002
【特許請求の範囲】
【請求項１】
原稿画像に対応する画像が記録されている第１のシート及び第２のシートからなり、複数の前記第１のシートを積層して２つ折りしたシート束の任意のページに前記第１のシートの１／２以下のシートサイズの前記第２のシートが挿入された製本束を形成するシート処理装置に前記第１のシート及び前記第２のシートを排出する画像形成装置であって、
前記第２のシートが前記製本束のどのページに挿入されるかに応じて、前記第１のシート及び前記第２のシートに形成される前記原稿画像の順序及び該原稿画像の向きを決定する決定手段と、
前記決定手段の決定結果に応じて前記第１のシート及び前記第２のシートに前記原稿画像を形成する形成手段と、
を備えることを特徴とする画像形成装置。
【請求項２】
前記原稿画像の向きは、天地方向における向きであることを特徴とする請求項１記載の画像形成装置。
【請求項３】
前記決定手段は、前記製本束の前半ページに前記第２のシートが挿入される場合と、前記製本束の後半ページに前記第２のシートが挿入される場合とで、前記第１のシートに形成される前記原稿画像の向きを逆にし、前記第２のシートに形成される前記原稿画像の表裏が逆になるように前記原稿画像の順序及び該原稿画像の向きを決定することを特徴とする請求項１又は２記載の画像形成装置。
【請求項４】
前記決定手段は、前記製本束が左開きである場合と、右開きである場合とで、前記第１のシートに形成する原稿画像の順序が異なるように前記原稿画像を決定することを特徴とする請求項１乃至３のいずれか１項に記載の画像形成装置。
【請求項５】
前記決定手段は、
前記形成手段が、前記決定結果に従って画像を形成し、前記シート処理装置が、前記画像形成装置から搬出される第１のシート及び前記第２のシートを搬出順に積層して２つ折りすることによって任意のページに前記第２のシートが挿入された任意の製本束が得られるように前記原稿画像の順序及び該原稿画像の向きを決定することを特徴とする請求項１乃至４のいずれか１項に記載の画像形成装置。
【請求項６】
前記原稿画像は、前記第１のシートに形成されるべき画像が記録されている製本束原稿と、前記第２のシートに形成されるべき画像が記録されている挿入シート原稿とを含むことを特徴とする請求項１乃至５のいずれか１項に記載の画像形成装置。
【請求項７】
前記シート処理装置は、前記第１のシート及び前記第２のシートの一端を位置決めしてシートの積層体を形成し、該シートの積層体を１方向に折り曲げて前記製本束を形成するものであることを特徴とする請求項１乃至６のいずれか１項に記載の画像形成装置。
【請求項８】
請求項１乃至７のいずれか１項に記載の画像形成装置と、
前記画像形成装置から排出される複数の前記第１のシートを積層して折り処理し、２つ折りされた複数の前記第１のシートの束に前記第２のシートが挿入された製本束を作成するシート処理装置と、
を有することを特徴とする画像形成システム。
【発明の詳細な説明】
【技術分野】
【０００１】
本発明は、シートに画像を形成した後、所定の後処理を施して製本束を形成する画像形成システム、及び該画像形成システムに適用される画像形成装置に関する。
【背景技術】
【０００２】
従来から、プリンタ、複写機、ファクシミリなどの画像形成装置を備えた画像形成システムにおいて、画像形成後のシートを重ねてシート束を作成し、該シート束に、曲げ処理、ステイプル処理等の所定の後処理を施すシート処理装置が知られている。
【０００３】
シート処理装置としては、例えば、画像形成装置から排紙された複数のシートを製本処理トレイに搬入し、斜めに積載してシート束とし、整合部材で整合させた後、ステイプラによって中綴じ処理を施すものが知られている（例えば、特許文献１参照）。特許文献１において、ステイプラによって中綴じされたシート束は、例えば、突き当て板に突き当てられた後、中央部分で折り曲げられて中綴じ製本束となる。
【先行技術文献】
【特許文献】
【０００４】
【特許文献１】特開２００７−３０２３７７号公報
【発明の概要】
【発明が解決しようとする課題】
【０００５】
図２３は、シート束を２つ折りすることによって作成される製本束及び該製本束を得るための画像形成パターンを示す図である。図２３（ａ）及び図２３（ｂ）は製本束を示す図、図２３（ｃ）及び図２３（ｄ）は、それぞれ図２３（ａ）及び図２３（ｂ）の製本束を得るための画像形成パターンを示す図である。
【０００６】
図２３（ａ）において、製本束７２０を構成する複数（３枚）の画像形成されたシート（画像シート）の各ページには、図２３（ｃ）に示したように、それぞれ該当する画像形成位置に原稿画像の所定ページの画像が形成されている。図２３（ｃ）において、製本束を構成する画像シートＳ１の表裏に記載された数値は、画像シートＳ１の各画像形成位置に形成された原稿画像のページ数を示している。また、図２３（ａ）の天地表示における天は、製本束を構成する画像シートＳ１に形成される原稿画像における画像形成装置の奥側が天方向となることを示している。また、図２３（ａ）の天地表示における地は、製本束を構成する画像シートＳ１に形成される原稿画像における画像形成装置の手前側が地方向となることを示している。
【０００７】
すなわち、図２３（ｃ）は、２つ折りされ、それぞれ４ページを有する画像シートＳ１の各ページに、それぞれ対応する４ページ分の原稿画像が形成された３枚の画像シートＳ１からなる図２３（ａ）の製本束７２０を形成するための画像形成パターンを示している。図２３（ｃ）の画像形成パターンから分かるように、製本束７２０を構成する画像シートＳ１の積層位置、製本束７２０の見開き方向等の相違に応じて各画像シートＳ１の４ページ分の画像形成位置に割当てられる原稿画像は異なってくる。
【０００８】
また、作成された製本束に対して、ユーザが製本束の任意のページに、製本束を構成するシートよりもサイズが小さいシートからなるチラシ等の挿入シート（画像シート）を挿入したい場合がある。
【０００９】
図２３（ｂ）は、挿入シートが挿入された製本束を示す図であり、図２３（ｄ）は、図２３（ｂ）の製本束を得るための画像形成パターンを示す図である。このような製本束は、後処理装置（フィニッシャ）によって形成される。図２４は、フィニッシャの製本処理トレイ内に形成されたシート積層体としてのシート束を示す断面図であり、図２３（ｂ）の製本束を作成するためのシート束を示す図である。図２４において、例えば、Ａ３シートからなる複数の画像シートＳ１の間に、例えば、Ａ４シートからなる挿入シートＳ２が挟まれたシート束７１０が示されている。
【００１０】
製本束７２０の後半ページに挿入シートＳ２を挿入したい場合は、図２３（ｄ）及び図２４に示したように、縦方向に積載されたシート束７１０の下半分の位置に挿入シートＳ２を積層させる必要がある。一方、製本束７２０の前半ページに挿入シートＳ２を挿入したい場合は、図２３（ｄ）に示したように、縦方向に積載されたシート束７１０の上半分の位置に挿入シートＳ２を積層させる必要がある。この場合、現実には、製本処理トレイ５６０内のシート束７１０（図２４）の上半分の位置に挿入シートＳ２を積層させることは困難である。従って、挿入シートＳ２をシート束７１０の下半分の位置に積層させつつ、挿入シートＳ２及び各画像シートＳ１の画像形成位置に形成されるべき原稿画像の順番及び向きを異ならせることによって対応している。このように、挿入シートＳ２が製本束７２０の前半ページに挿入されるか又は後半ページに挿入されるかによっても、画像シートＳ１及び挿入シートＳ２の画像形成位置に割当てられる原稿画像を入れ替える必要がある。
【００１１】
すなわち、画像シートを２つ折りした製本束、または製本束の所定のページに別の画像シートを挿入した製本束を形成する際、製本束のページ数、見開き方向、挿入シートの挿入ページ等に応じて各画像シートの画像形成位置に割当てられる原稿画像は異なってくる。従って、２つ折りされる各シートの画像形成位置に原稿画像を割当てる割当て処理、又は挿入シートの表裏両面に原稿画像を割当てる割当て処理は、画像形成システムのユーザにとって、複雑かつ煩雑な操作となる。
【００１２】
本発明は、画像シートを２つ折りして任意のページに挿入シートが挿入された製本束を形成する際、挿入シートの挿入ページに応じて画像シート及び挿入シートに形成される原稿画像及びその向きを正確に割当てる画像形成装置を提供することを目的とする。また、本発明は、このような画像形成装置を備えた画像形成システムを提供することを目的とする。
【課題を解決するための手段】
【００１３】
上記課題を解決するために、請求項１記載の画像形成装置は、原稿画像に対応する画像が記録されている第１のシート及び第２のシートからなり、複数の前記第１のシートを積層して２つ折りしたシート束の任意のページに前記第１のシートの１／２以下のシートサイズの前記第２のシートが挿入された製本束を形成するシート処理装置に前記第１のシート及び前記第２のシートを排出する画像形成装置であって、前記第２のシートが前記製本束のどのページに挿入されるかに応じて、前記第１のシート及び前記第２のシートに形成される前記原稿画像の順序及び該原稿画像の向きを決定する決定手段と、前記決定手段の決定結果に応じて前記第１のシート及び前記第２のシートに前記原稿画像を形成する形成手段と、を備えることを特徴とする。
【発明の効果】
【００１４】
本発明によれば、第２のシートが、製本束のどのページに挿入されるかに応じて第１のシート及び第２のシートに形成される原稿画像及びその向きを決定し、決定結果に応じて第１のシート及び第２のシートに原稿画像を形成する。これによって、画像シートを積層したシート束を２つ折りして任意のページに挿入シートが挿入された製本束を形成する際、挿入シートの挿入ページに応じて画像シート及び挿入シートに形成される原稿画像及びその向きを正確に割当てることができる。
【図面の簡単な説明】
【００１５】
【図１】実施の形態に係る画像形成システムにおける画像形成装置の縦断面を示す図である。
【図２】図１におけるフィニッシャの概略構成を示す断面図である。
【図３】図１の画像形成システムの制御構成を示すブロック図である。
【図４】図３のフィニッシャ制御部の構成を示すブロック図である。
【図５】図１の画像形成システムの操作表示装置を示す図である。
【図６】操作表示装置の表示画面を示す図であり、図６（ａ）は、応用モード選択画面を示す図、図６（ｂ）は、給紙段設定画面を示す図である。
【図７】操作表示装置の表示画面を示す図であり、図７（ａ）は、中綴じ設定画面を示す図、図７（ｂ）は、挿入シート設定画面を示す図である。
【図８】操作表示装置の見開き設定画面を示す図である。
【図９Ａ】画像形成パターン設定処理の手順を示すフローチャートである。
【図９Ｂ】画像形成パターン設定処理の手順を示すフローチャートである。
【図９Ｃ】画像形成パターン設定処理の手順を示すフローチャートである。
【図１０】挿入シート給紙段設定画面を示す図である。
【図１１】画像シートに形成する原稿画像を説明するための図である。
【図１２】製本処理の手順を示すフローチャートである。
【図１３】製本処理トレイを示す図であって、図１３（ａ）は、画像シートが製本処理トレイに搬入される状態を示す図、図１３（ｂ）は、後端押さえが製本処理トレイに搬入された画像シートの後端部を把持する状態を示す図である。
【図１４】製本処理トレイを示す図であって、図１４（ａ）は、ステイプル機能を説明するための図、図１４（ｂ）は、シート束が折り位置に移動した状態を示す図である。
【図１５】製本処理トレイを示す図であって、後端押さえと位置決め部材でシート束を把持し、その後、折り曲げ処理を実行する状態を示す図である。
【図１６】挿入シートの挿入ページによってシートの積層方法が異なるシート積層体を示す模式図である。
【図１７】実施例１における製本束及び当該製本束を得るための画像形成パターンを示す図である。
【図１８】実施例２における製本束及び当該製本束を得るための画像形成パターンを示す図である。
【図１９】実施例３における製本束及び当該製本束を得るための画像形成パターンを示す図である。
【図２０】実施例４における製本束及び当該製本束を得るための画像形成パターンを示す図である。
【図２１】比較例１における製本束及び当該製本束を得るための画像形成パターンを示す図である。
【図２２】比較例２における製本束及び当該製本束を得るための画像形成パターンを示す図である。
【図２３】シート束を２つ折りすることによって作成される製本束及び該製本束を得るための画像形成パターンを示す図である。
【図２４】フィニッシャの製本処理トレイ内に形成されたシート束を示す断面図であり、図２３（ｂ）の製本束を作成するためのシート束を示す図である。
【発明を実施するための形態】
【００１６】
以下、実施の形態について図面を参照しつつ詳細に説明する。
【００１７】
図１は、実施の形態に係る画像形成システムにおける画像形成装置の縦断面を示す図である。
【００１８】
図１において、画像形成システム１０００は、主として画像形成装置１００と、シート処理装置（フィニッシャ）５００と、操作表示装置６００とから構成されている。画像形成装置１００は、原稿を読み取る画像読取装置（イメージリーダ）２００、原稿をイメージリーダ２００に給送する原稿給送装置３００、画像データに基づいてシート上に画像を形成するプリンタ３５０を備えている。
【００１９】
原稿給送装置３００は、原稿トレイ１０１、プラテンガラス１０２、及び排紙トレイ１１２を備えている。原稿給送装置３００は、原稿トレイ１０１上に、例えば、上向きにセットされた原稿を先頭ページから順に１枚ずつ図１中、左方向へ給紙し、湾曲したパスを介してプラテンガラス１０２上を左から読み取り位置を経て右方向へ搬送する。そして、その後、原稿を排紙トレイ１１２に排出する。
【００２０】
イメージリーダ２００は、プラテンガラス１０２の画像読取位置に対向して配置されたスキャナユニット１０４、ミラー１０６、１０７、レンズ１０８、及びイメージセンサ１０９を備えている。スキャナユニット１０４は、光源１０３及びミラー１０５を備えている。画像読取位置とは、イメージリーダ２００におけるプラテンガラス１０２上の原稿画像を読み取る位置をいう。原稿がプラテンガラス１０２上の画像読取位置を図１中、左から右へ向かって通過するときに、原稿画像が画像読取位置に対応して設けられたスキャナユニット１０４及びレンズ１０８を介してイメージセンサ１０９によって読み取られる。イメージセンサ１０９によって読み取られた画像は、プリンタ３５０の露光装置にビデオ信号として出力される。
【００２１】
次に、プリンタ３５０の構成について説明する。
【００２２】
プリンタ３５０は、画像形成部と、画像形成部に記録用紙としてのシートＳを搬送する搬送パスと、シートＳを収容する用紙収容部とで構成されている。画像形成部は、像担持体としての感光体１１１と、該感光体１１１に対向するように配置され、ポリゴンミラー１１９を備えた露光装置１１０、及び現像装置１１３を備えている。用紙収容部は、プリンタ３５０の下方に配置された上カセット１１４、及び下カセット１１５並びに側面に設けられた手差給紙部１２５で構成されている。搬送パスは、上カセット１１４又は下カセット１１５からシートＳを感光体１１１の転写部１１６まで搬送する供給パス１３１と、画像形成後のシートＳを、定着装置１１７を経て系外に排出する排出パス１３２を有している。排出パス１３２の定着装置１１７の下流側には反転パス１２２が接続されており、反転パス１２２には、一端が感光体１１１の転写部１１６の上流側に接続された両面搬送パス１２４が接続されている。
【００２３】
供給パス１３１は、上カセット１１４及び下カセット１１５にそれぞれ対応するピックアップローラ１２７及び１２８、給紙ローラ１２９及び１３０、並びに感光体１１１の上流側に配置されたレジストレーションローラ（レジストローラ）１２６を備えている。排出パス１３２は、定着装置１１７の下流側の反転パス１２２との分岐部に設けられたフラッパ１２１及びシートＳを下流側のフィニッシャ５００に向けて排出する排出ローラ１１８を備えている。
【００２４】
このような構成のプリンタ３５０において、露光装置１１０は、イメージリーダ２００から出力されるビデオ信号に基づいてレーザ光を変調して、ポリゴンミラー１１９で感光体１１１の表面を露光走査してビデオ信号に応じた静電潜像を形成する。感光体１１１に形成された静電潜像に対し、現像装置１１３が現像剤としてのトナーを供給してトナー像として可視化する。
【００２５】
一方、上カセット１１４又は下カセット１１５からピックアップローラ１２７又は１２８によって給紙されたシートＳは、給紙ローラ１２９又は１３０によって、停止中のレジストローラ１２６まで搬送される。シートＳの先端がレジストローラ１２６に当接して停止した後、レジストローラ１２６が任意のタイミングで駆動する。そして、レーザ光の照射開始と同期したタイミングで、シートＳを感光体１１１の転写部１１６まで搬送する。感光体１１１に形成されたトナー像は、転写部１１６によってシートＳに転写される。トナー像が転写されたシートＳは、定着装置１１７に搬送され、ここでシートＳを加熱及び加圧することによってトナー像がシートＳに定着される。定着装置１１７を通過したシートＳは、フラッパ１２１及び排出ローラ１１８を経てプリンタ３５０からフィニッシャ５００に向けて排出される。
【００２６】
シートＳを画像形成面が下向きになる状態（フェイスダウン）で排出するときには、プリンタ３５０は、定着装置１１７を通過したシートＳをフラッパ１２１の切換動作により一旦、反転パス１２２内に導く。そして、シートＳの後端部がフラッパ１２１を通過した後、シートＳをスイッチバックさせ、その後、排出ローラ１１８により機外に排出する。このような反転排紙は、原稿給送装置３００で読み取られた画像を形成する時又は外部装置としてのコンピュータから出力された画像を形成する時のように、先頭ページから順に画像を形成する必要がある場合に適用され、排紙後のシート順序は昇順となる。また、手差給紙部１２５からＯＨＰシートなどの硬い材質のシートが給紙され、この硬いシートに画像を形成するときは、シートを反転パス１２２に導くことなく、画像形成面を上向きにした状態（フェイスアップ）で排出ローラ１１８により機外に排出する。
【００２７】
一方、シートＳの両面に画像を形成する両面印刷の場合、フラッパ１２１の切換動作によってシートＳを反転パス１２２に導いた後、さらに両面搬送パス１２４へ搬送する。そして、両面搬送パス１２４で反転したシートＳを上述した所定のタイミングで再度感光体１１１の転写部１１６まで搬送し、同様にして画像を転写してシートＳの表裏両面に画像を形成する。
【００２８】
次に、フィニッシャ５００の構成について説明する。図２は、図１におけるフィニッシャ５００の主要な構成を示す断面図である。
【００２９】
図２において、フィニッシャ５００は、画像形成装置１００から排紙されたシートＳに各種処理を施して上積載トレイ７０１まで搬送する搬送パス５２０及び上排紙パス５２１を備えている。また、フィニッシャ５００は、シートＳを下積載トレイ７０２に搬送する下排紙パス５２２、及び製本トレイ８５０まで搬送する製本パス５２４を備えている。
【００３０】
製本パス５２４は、製本入口センサ５７７及び搬送ローラ８０１を備えており、製本処理トレイ５６０を経て製本トレイ８５０まで延びている。製本処理トレイ５６０は、シートＳの搬送方向の先端部が当接して位置決めされる位置決め部材８０５、及び後端部を固定する後端抑え８０２を備えている。また、製本処理トレイ５６０は、シート束７１０に対して綴じ処理を施すステイプラ８２０ａ及びアンビル８２０ｂを備えている。また、製本処理トレイ５６０は、シート束７１０を折り曲げる折りローラ対８１０ａ、８１０ｂ、これらに対向配置された突出し部材８３０、及び折り処理後のシート束７１０を搬送する折り搬送ローラ対８１１ａ、８１１ｂを備えている。折り搬送ローラ対８１１ａ、８１１ｂは、折り処理後のシート束７１０を製本束として製本トレイ８５０まで搬送する。
【００３１】
このような構成において、中綴じ製本束を形成する際、フィニッシャ５００は、画像形成装置１００によって画像が形成された画像シートＳを順に取り込み、搬送パス５２０、下排紙パス５２２及び製本パス５２４を経て製本処理トレイ５６０に搬入する。製本処理トレイ５６０に搬入された画像シートＳは、一枚毎に後端押さえ８０２で把持されるように積層されてシート積層体としてのシート束７１０を形成する。次に、画像シートＳの先端部を位置決めする位置決め部材８０５を動作させ、これによってシート束７１０を支持しつつ綴じ位置まで移動させる。綴じ位置とは、シート束７１０の搬送方向に沿った中央部がステイプラ８２０ａ及びアンビル８２０ｂに対向する位置をいう。綴じ位置まで移動したシート束７１０に対し、ステイプラ８２０ａとアンビル８２０ｂが協働してその中央部に対してステイプル処理を施す。
【００３２】
次いで、位置決め部材８０５を動作させてシート束７１０を折り位置まで移動させる。折り位置とは、ステイプラ８２０ａ及びアンビル８２０ｂによって綴じられたシート束７１０の綴じ位置が突出し部材８３０と対向する位置をいう。折り位置まで移動したシート束７１０に対し、突出し部材８３０を突き出すことによってシート束７１０を折りローラ対８１０ａ、８１０ｂ相互間に突出し、これによって、シート束７１０を２つ折りする。２つ折りされたシート束７１０は、折りローラ対８１０ａ、８１０ｂを経て折り搬送ローラ８１１ａ、８１１ｂに受け渡され、製本束として製本トレイ８５０上に排出される。なお、綴じ処理を実行しないで折り処理のみを実行して製本束とすることもできる。
【００３３】
次に、図１の画像形成システム１０００全体の制御を司るコントローラを含む画像形成システム全体の制御構成について説明する。
【００３４】
図３は、図１の画像形成システムの制御構成を示すブロック図である。
【００３５】
図３において、画像形成システム１０００は、制御部としてのコントローラＣＰＵ回路部９００を有し、コントローラＣＰＵ回路部９００は、ＣＰＵ９０１、ＲＯＭ９０２、ＲＡＭ９０３を内蔵する。ＣＰＵ９０１は画像形成システム１０００全体の基本制御を行うＣＰＵであり、制御プログラムが書き込まれたＲＯＭ９０２、及びＲＡＭ９０３とそれぞれ図示省略したデータバスにより接続されている。ＣＰＵ９０１は、各制御部９１１、９２１、９２２、９０４、９３１、９４１、９５１と接続されており、これらをＲＯＭ９０２に格納されている制御プログラムによって総括的に制御する。各制御部としては、原稿給送装置制御部９１１、イメージリーダ制御部９２１、画像信号制御部９２２、外部Ｉ／Ｆ９０４、プリンタ制御部９３１、操作表示装置制御部９４１、及び、フィニッシャ制御部９５１が挙げられる。ＲＡＭ９０３は、制御データを一時的に保持し、また制御に伴う演算処理の作業領域として用いられる。
【００３６】
原稿給送装置制御部９１１は、原稿給送装置３００をコントローラＣＰＵ回路部９００からの指示に基づき駆動制御する。イメージリーダ制御部９２１は、上述のスキャナユニット１０４、イメージセンサ１０９などに対する駆動制御を行い、イメージセンサ１０９から出力された画像信号を画像信号制御部９２２に転送する。
【００３７】
画像信号制御部９２２は、イメージセンサ１０９からのアナログ画像信号をデジタル信号に変換した後、各処理を施し、このデジタル信号を画像信号に変換してプリンタ制御部９３１に出力する。また、画像信号制御部９２２は、コンピュータ９０５から外部Ｉ／Ｆ９０４を介して入力されたデジタル画像信号に各種処理を施し、このデジタル画像信号を画像（ビデオ）信号に変換してプリンタ制御部９３１に出力する。画像信号制御部９２２による処理動作は、コントローラＣＰＵ回路部９００により制御される。プリンタ制御部９３１は、入力された画像信号に基づきプリンタ３５０を制御し、画像形成及びシート搬送を行う。
【００３８】
フィニッシャ制御部９５１はフィニッシャ５００に搭載され、コントローラＣＰＵ回路部９００と情報のやり取りを行うことによってフィニッシャ５００全体の駆動制御を行う。操作表示装置制御部９４１は、操作表示装置６００とコントローラＣＰＵ回路部９００との間で情報のやり取りを行う。操作表示装置６００は、画像形成に関する各種機能を設定する複数のキー、設定状態を示す情報を表示するための表示部などを有する。操作表示装置６００は、また、各キーの操作に対応するキー信号をコントローラＣＰＵ回路部９００に出力すると共に、コントローラＣＰＵ回路部９００からの信号に基づき対応する情報を表示部に表示する。
【００３９】
次に、フィニッシャ制御部９５１の構成について説明する。
【００４０】
図４は、図３のフィニッシャ制御部９５１の構成を示すブロック図である。
【００４１】
図４において、フィニッシャ制御部９５１は、ＣＰＵ９５２、ＲＯＭ９５３、ＲＡＭ９５４などで構成されている。フィニッシャ制御部９５１は、画像形成システム１０００のコントローラＣＰＵ回路部９００と通信ＩＣを介して接続されており、コントローラＣＰＵ回路部９００と通信して、ジョブの情報やシートの受け渡し通知などのデータ交換を行う。すなわち、フィニッシャ制御部９５１は、コントローラＣＰＵ回路部９００からの指示に基づきＲＯＭ９５３に格納されている各種プログラムを実行して下記の各種モータ及びセンサを制御する。
【００４２】
フィニッシャ制御部９５１は、各種モータ及びセンサと制御可能に接続されている。モータとしては、入口モータＭ１、シフト搬送モータＭ２，バッファ前モータＭ３、バッファモータＭ４、シフトモータＭ５、上排紙モータＭ６、下パス搬送モータＭ７、束排紙モータＭ８、整合モータＭ９、Ｍ１０、搖動モータＭ１１が挙げられる。また、モータとして、トレイ昇降モータＭ１２、Ｍ１３、製本入口搬送モータＭ１４、折りモータＭ１５、突きモータＭ１６、束移動モータＭ１７、ステイプラモータＭ１８、製本搬送モータＭ１９、後端押さえモータＭ２０、位置決め部材把持モータＭ２１がある。センサとしては、搬送センサ５７０〜５７６、製本入口センサ５７７、サドルパスセンサ５７８が挙げられる。
【００４３】
次に、画像形成パターン設定処理について説明する。画像形成パターンは、各画像が、製本束のどの位置に配置されるかに応じて、原稿画像に対応するトナー像が転写されるべきシート、該シートの画像形成面、及び画像の向きを決定したパターンである。画像形成パターンは、図１の画像形成システム１０００を用いて画像シートを形成し、得られた画像シートに所定の処理を施して製本束を形成する際に用いられる。画像形成装置１００を用いて、画像形成パターンに従って画像が形成された画像シートが形成され、形成された画像シートがフィニッシャ５００の処理対象シートとなって製本束が形成される。
【００４４】
画像形成パターン設定処理の前提として、ユーザは、操作表示装置６００を用いて画像形成システム１０００の基本的な条件設定を行う。
【００４５】
図５は、図１の画像形成システム１０００の操作表示装置６００を示す図である。
【００４６】
図５において、操作表示装置６００には、画像形成動作を開始するためのスタートキー６０２、画像形成動作を中断するためのストップキー６０３、置数設定等を行うテンキー６０４〜６１２及び６１４が設けられている。また、操作表示装置６００には、ＩＤキー６１３、クリアキー６１５、リセットキー６１６、各種装置の設定を行うユーザモードキー（図示省略）が配置されている。また、操作表示装置６００の上部にはタッチパネルを構成する表示部６２０が配置されており、表示部６２０の画面にはソフトキーが表示される。 
【００４７】
フィニッシャ５００では、後処理モードとしてノンソート、ソート、シフトソート、ステイプルソート（綴じモード）等の各処理モードや、応用モードとして製本、混載、合い紙モード等を設定することができる。モードの設定は、ユーザによる操作表示装置６００からの入力操作によって行われる。例えば、後処理モードを設定する際には、図５の初期画面で、ユーザがソフトキーである仕上げキー６２１にタッチすると、表示部６２０にメニュー選択画面が表示される。ユーザは、メニュー選択画面を用いて処理モードを設定することができる。一方、応用モードを設定する際は、ユーザが、図５の初期画面でソフトキーである応用モードキー６２２にタッチすると、表示部６２０に応用モード選択画面が表示される。ユーザは、応用モード選択画面によって応用モードを設定することができる。
【００４８】
図６は、操作表示装置６００の表示画面を示す図であり、図６（ａ）は、応用モード選択画面を示す図、図６（ｂ）は、給紙段設定画面を示す図である。
【００４９】
図６（ａ）の応用モード選択画面は、各モードを選択するための画面である。この応用モード選択画面において、ユーザが、製本モードキーにタッチした後、次へキーにタッチすると、表示部６２０に、製本モードに適用するシートサイズを設定するための給紙段設定画面が表示される。
【００５０】
図６（ｂ）の給紙段設定画面は、製本条件として、各給紙トレイを選択するための画面である。ユーザは、例えば、トレイ３の選択キーにタッチして製本モードに適用するシートとしてＡ３用紙を設定する。ユーザがシートサイズを設定した後、次へキーにタッチすると、中綴じ設定画面が表示される。
【００５１】
図７は、操作表示装置６００の表示画面を示す図であり、図７（ａ）は、中綴じ設定画面を示す図、図７（ｂ）は、挿入シート設定画面を示す図である。
【００５２】
図７（ａ）の中綴じ設定画面は、製本条件として、中綴じの有無を設定するための画面である。中綴じすることを選択する場合、ユーザが、例えば中綴じするキーにタッチした後、次へキーにタッチすると、挿入シートの有無を設定する挿入シート設定画面が表示される。挿入シートＳ２は、製本束を形成する画像シートＳ１のシートサイズの１／２以下のサイズである。即ち、中綴じされるシートサイズがＡ３，Ｂ４等のラージサイズである場合、挿入シートはＡ４，Ｂ５等のスモールサイズ（ハーフサイズ）となる。なお、中綴じしない設定が選択されても、挿入シート設定画面が表示される。
【００５３】
図７（ｂ）の挿入シート設定画面は、製本条件として、挿入シートの有無及び挿入ページを設定するための画面である。ユーザは、挿入位置設定欄６６０に数値を入力することによって、例えば製本束の何ページの前に挿入シートを挿入するかを設定する。挿入シート設定画面において、ユーザが、挿入シートありキーにタッチし、挿入位置設定欄６６０で挿入シートの挿入ページを設定した後、ＯＫキーにタッチすると、見開きの設定画面が表示される。
【００５４】
図８は、操作表示装置の見開き設定画面を示す図である。図８の見開き設定画面は、製本条件として、左開きの製本束を作成するか右開きの製本束を作成するかを設定するための画面である。ユーザが、キータッチすることによって左開きのシート束（製本束）を作成するか、右開きの製本束を作成するかを設定した後、「ＯＫボタン」にタッチする。これによって、基本的な条件設定が終了し、表示部６２０は図５の初期画面に戻る。
【００５５】
画像形成システム１０００の基本的な条件設定が終了した後、ユーザが、操作表示装置６００の画像形成パターン設定キー（図示省略）を押下すると、画像形成パターン設定処理に移行する。
【００５６】
図９Ａ、図９Ｂ及び図９Ｃは、画像形成パターン設定処理の手順を示すフローチャートである。画像形成パターン設定処理は、画像形成システム１０００のコントローラＣＰＵ回路部９００のＣＰＵ９０１が、ＲＯＭ９０２に格納された画像形成パターン設定処理プログラムに基づいて実行する。
【００５７】
画像形成パターン設定処理に移行した後、ユーザが、製本束を作成するための原稿画像を原稿トレイ１０１にセットし、スタートキー６０２を押下すると画像形成パターン設定処理が開始する。画像形成パターン設定処理が開始されると、ＣＰＵ９０１は、先ず、ユーザによってスタートキー６０２が押下されたか否かを判定する（ステップＳ１０１）。ステップＳ１０１の判定の結果、スタートキー６０２が押下されている（ステップＳ１０１で「ＹＥＳ」）場合、ＣＰＵ９０１は、原稿トレイ１０１にセットされた製本束原稿の読み取りを開始する（ステップＳ１０２）。すなわち、スキャナユニット１０４によって原稿が読み取られ、読み取られた原稿は排紙トレイ１１２に排紙される。
【００５８】
次いで、ＣＰＵ９０１は、読み取った製本束原稿の枚数をＲＡＭ９０３の変数である原稿枚数Ｐとして記憶する（ステップＳ１０３）。次いで、ＣＰＵ９０１は、挿入シートの設定があるか否かを判定する（ステップＳ１０４）。本実施の形態においては、事前の基本的な条件設定によって挿入シートありが設定されている。従って、ＣＰＵ９０１は挿入シートありが設定されている（ステップＳ１０４で「ＹＥＳ」）と判定し、操作表示装置６００の表示部６２０に挿入シート給紙段設定画面を表示する（ステップＳ１０５）。
【００５９】
図１０は、挿入シート給紙段設定画面を示す図である。図１０の挿入シート給紙段設定画面は、挿入シートを給送する給紙トレイを選択するための画面である。ユーザは、例えば、トレイ１キーにタッチして挿入シートの給紙段としてＡ４用紙が収納されたトレイ１を設定する。また、このとき、ユーザは、挿入シートに形成される原稿画像としての挿入シート原稿を原稿トレイ１０１にセットし、スタートキー６０２を押下する。
【００６０】
図９Ａに戻り、挿入シート給紙段設定画面を表示したＣＰＵ９０１は、次いで、ユーザによってスタートキー６０２が押下されたか否かを判定する（ステップＳ１０６）。ステップＳ１０６の判定の結果、スタートキー６０２が押下された（ステップＳ１０６で「ＹＥＳ」）場合、ＣＰＵ９０１は、挿入シート原稿の読み取りを開始する（ステップＳ１０７）。すなわち、ＣＰＵ９０１は、スキャナユニット１０４を制御して挿入シート原稿の読み取りを実行させ、読み取った挿入シート原稿を排紙トレイ１１２に排紙する。
【００６１】
挿入シート原稿の読み取りが終了した後、ＣＰＵ９０１は、図７（ｂ）の挿入シート設定画面でユーザによって入力された挿入ページをＲＡＭ９０３の変数である挿入位置Ｙとして記憶する（ステップＳ１０８）。挿入位置Ｙを記憶した後、ＣＰＵ９０１は、挿入位置Ｙが原稿枚数Ｐの１／２以下であるか否か、すなわち、挿入シートＳ２の挿入ページが製本束の前半ページか後半ページかを判定する（ステップＳ１０９）。ステップＳ１０９の判定の結果、挿入位置Ｙが、例えば、原稿枚数Ｐの１／２以下である（ステップＳ１０９で「ＹＥＳ」）場合、ＣＰＵ９０１は、ユーザによって製本束の見開き方向として左開きが設定されたか否かを判定する（ステップＳ１１０）。
【００６２】
ステップＳ１１０の判定の結果、上述の基本的な条件設定によって、例えば左開きが設定されている（ステップＳ１１０で「ＹＥＳ」）場合、ＣＰＵ９０１は、以下のようにして製本束を形成するための画像シート及び挿入シートに形成する原稿画像を決定する。
【００６３】
図１１は、画像シートに形成する原稿画像を説明するための図である。
【００６４】
本実施の形態においては、製本束原稿をＡ４原稿１２枚とし、製本束を形成するための画像シートＳ１をＡ３用紙とし、３枚の画像シートＳ１を２つ折りにして全１２ページの製本束を作成する。また、製本束の所望の任意のページにＡ４用紙からなる挿入シートＳ２を挿入する。従って、フィニッシャ５００に供給され、製本処理トレイ５６０に搬入される画像シートＳ１には、１枚当たり４枚の原稿画像が形成される。また、挿入シートＳ２の表裏両面には、それぞれ挿入シート原稿の表面画像又は裏面画像が形成される。
【００６５】
図１１において、画像形成パターンを説明する便宜等のため、以下、本明細書において、画像シートＳ１の折りローラ対８１０ａ、８１０ｂ側の面を“表面”、突出し部材８３０側の面を“裏面”という。また、位置決め部材８０５側を“先端側”、シート把持部材８０２側を“後端側”という。また、裏面で先端側の面を“形成面１”、裏面で後端側の面を“形成面２”、表面で先端側の面を“形成面３”、表面で後端側の面を“形成面４”という。
【００６６】
図９Ａに戻り、ステップＳ１１０で、左開きが設定されていると判定したＣＰＵ９０１は、所望の製本束を得るために、３枚の画像シートＳ１及び１枚の挿入シートＳ２の画像形成面に形成される原稿画像を割当てる（ステップＳ１１１〜Ｓ１１４）。なお、ＣＰＵ９０１は、画像パターンを決定する決定手段として機能する。
【００６７】
本実施の形態において、画像パターンとは、画像シートＳ１及び挿入シートＳ２に形成されるべき原稿画像の順番等の割当てを示す情報である。これに対して、画像形成パターンとは、製本束を形成するための情報の集合体であって、画像パターンの他、画像の向きを含んだ情報の集合体をいう。
【００６８】
すなわち、ＣＰＵ９０１は、挿入シートＳ２の表裏両面にそれぞれ形成される原稿画像が挿入シート原稿の表面画像Ａであるか裏面画像Ｂであるかを設定する（ステップＳ１１１参照）。次いで、ＣＰＵ９０１は、製本束を構成する３枚の画像シートＳ１の形成面１〜４にそれぞれ形成されるべき製本束原稿の原稿画像を設定する（ステップＳ１１２参照）。次いで、ＣＰＵ９０１は、各原稿画像が形成されるべき画像の向きを設定する（ステップＳ１１３参照）。ここで、画像の向きとは、画像シートＳ１又は挿入シートＳ２に転写された際の原稿画像の天地方向の天を、画像シートＳ１又は挿入シートＳ２のシート面における天地方向のいずれにするかの区別をいう。換言すれば、画像の向きは、画像シートＳ１又は挿入シートＳ２に転写された際の原稿画像の天地方向の天が、画像形成装置を正面から見て手前側になるように転写するか、奥側になるように転写するかの区別をいう。
【００６９】
以下、本実施の形態において、画像の向きを設定する意義について、図１１および後述する図１６を用いて詳細に説明する。
【００７０】
図１１において、製本処理トレイ５６０は、該製本処理トレイ５６０内に搬入された画像シートＳ１および挿入シートＳ２の一端である下方端を位置決めしてシート束７１０を形成する。次いで、製本処理トレイ５６０は、突出し部材８３０を図１１中、右側から左側に突き出すことによってシート束７１０を２つ折りして製本束を形成する。すなわち、本実施の形態において、画像シートＳ１及び挿入シートＳ２を位置決めするための位置決め端は下方端のみである。また、突出し部材８３０が図中右方向から左方向に突き出してシート束７１０の中央部が折り曲げ後のシート束の先端になるようにシート束７１０が折り曲げられる。このように、シートの位置決め端およびシート束の折り曲げ方向が固定されているフィニッシャ５００を用いて挿入シートが挿入された製本束が形成される。従って、製本束の見開き方向、挿入シートＳ１の挿入ページによって、画像シートＳ１および挿入シートＳ２に形成されるべき原稿画像及び向きを調整し、決定する必要がある。
【００７１】
図１６（ａ）における画像シートＳ１に形成された画像「６」および「７」の天地の向きが、原稿画像における天地方向の天を、画像形成装置の正面から見て奥側に転写した向きとなっている。一方、図１６（ｂ）における画像シートＳ１に形成された画像「６」および「７」の天地の向きは、原稿画像における天地方向の天を、画像形成装置の正面から見て手前側に転写した向きとなっている。図１６においては、挿入シートＳ２をシート積層体（シート束）の前半ページに挿入するか、後半ページに挿入するかによって、画像の向きが変更されている。
【００７２】
図９Ａに戻り、画像の向きを設定した（ステップＳ１１３）後、ＣＰＵ９０１は、ステップＳ１１１〜Ｓ１１３の決定結果である画像の割当ておよび画像の向きを含む画像形成パターンをＲＡＭ９０３に記憶させ（ステップＳ１１４）、本処置を終了する。
【００７３】
その後、ＲＡＭ９０３に記憶された画像形成パターンに従って、画像形成装置１００を用いた画像形成処理、及びフィニッシャ５００を用いたシート処理が実行され、所定ページに挿入シートＳ２が挿入された製本束が形成される。
【００７４】
図９Ａの処理によれば、所望のページに挿入シートＳ２が挿入された製本束を得るために、製本束を構成する複数枚の画像シートＳ１の各形成面に形成される製本束原稿の原稿画像を割当てた画像形成パターンを設定する。この画像形成パターンには、また挿入シートＳ２の表裏両面にそれぞれ形成される挿入シート原稿の表面画像及び裏面画像が設定される。更にまた、画像形成パターンには、挿入シートＳ２の挿入位置Ｙが、製本束の前半ページであるか後半ページであるかに従って、画像シートＳ１及び挿入シートＳ２の積層順序（形成順序）が変更、設定される。すなわち、画像形成パターンは、画像シートＳ１と挿入シートＳ２を位置決め部材８０５に当接して位置決めしたシート束であって、該シート束を２つ折りした際に所望の製本束が得られるための条件を決定したものである。画像形成パターンは、画像形成装置１００で実行される画像形成処理、特に、トナー像をシートＳに転写する転写処理に適用される。
【００７５】
以下、図９Ａで決定され、ＲＡＭ９０３に記憶された画像形成パターンに従って所定のページに挿入シートが挿入された製本束を形成する製本処理について説明する。
【００７６】
図１２は、製本処理の手順を示すフローチャートである。この製本処理は、フィニッシャ制御部９５１のＣＰＵ９５２がＲＯＭ９５３に格納された製本処理プログラムの製本処理手順に従って実行する。
【００７７】
先ず、製本処理の前提として、ＲＡＭ９０３に記憶され、ユーザによって設定された製本条件により特定された画像形成パターンに従った画像形成処理が実行される。すなわち、図９ＡのステップＳ１１４でＲＡＭ９０３に画像形成パターンが記憶された後、ユーザが、製本処理に適用する画像形成パターンを特定し、改めてスタートキー６０２を押下することによって画像形成装置１００による画像形成処理が開始する。
【００７８】
画像形成処理が開始されると、画像形成装置１００では、ユーザによって特定された画像形成パターンに従って、製本束を形成するための画像シートＳ１及び挿入シートＳ２を形成する画像形成処理が開始する。すなわち、画像形成装置１００は、画像形成パターンに従って、３枚の画像シートＳ１を２つ折りにして全１２ページの製本束を作成するために、各画像シートＳ１の４つの形成面に形成すべき製本束原稿の画像が形成された画像シートＳ１を形成する。また、画像形成装置１００は、挿入シート原稿の画像が表裏に形成された挿入シートＳ２を形成する。形成された３枚の画像シートＳ１及び１枚の挿入シートＳ２は、形成されるべき製本束における積層順に従って、画像形成装置１００からフィニッシャ５００に搬出され、搬出順に従って積層されて製本処理に供される。
【００７９】
以下、製本処理について詳細に説明する。
【００８０】
ユーザが、スタートキー６０２を押下することによって、上述したように、画像形成装置１００によって画像シートＳ１及びＳ２が形成される。画像シートＳ１及びＳ２が形成され、製本処理が開始すると、ＣＰＵ９５２は、先ず、製本束を作成するためのシートＳ（画像シートＳ１）のシート情報を受信したか否か判定する（ステップＳ２０１）。このとき、ＲＡＭ９０３に記憶された画像形成パターンによってシートＳのシート情報を受信しているので（ステップＳ２０１で「ＹＥＳ」）、ＣＰＵ９５２は、シートＳに関するシート情報をＲＡＭ９５４に記憶する（ステップＳ２０２）。シート情報には、ステイプル処理の有無、束最終紙フラグのＯＮ、ＯＦＦ、最終紙フラグのＯＮ、ＯＦＦが含まれる。
【００８１】
次いで、ＣＰＵ９５２は、フィニッシャ５００の入り口まで画像シートが搬送されたか否か、すなわち、入口センサ５７０がＯＮであるか否か判定し、ＯＮになるまで待機する（ステップＳ２０３）。ステップＳ２０３の判定の結果、入口センサ５７０がＯＮである（ステップＳ２０３で「ＹＥＳ」）場合、ＣＰＵ９５２は、画像シートＳ１のフィニッシャ５００への搬入を開始する（ステップＳ２０４）。すなわち、ＣＰＵ９５２は、入口モータＭ１、シフトモータＭ２、バッファ前モータＭ３、シフトモータＭ４、下パス搬送モータＭ７、製本入口搬送モータＭ１４を駆動させる。また、ＣＰＵ９５２は、搬送ローラ対５１１から５１４、５１６、５１７、８０１を回転させ、図１３に示すように画像シートＳ１を製本処理トレイ５６０に搬入する。
【００８２】
図１３は、製本処理トレイを示す図であって、図１３（ａ）は、画像シートが製本処理トレイに搬入される状態を示す図、図１３（ｂ）は、後端押さえが製本処理トレイに搬入された画像シートの後端部を把持する状態を示す図である。図１３（ａ）において、画像シートＳ１が、搬送ローラ８０１を経て製本処理トレイ５６０に搬入されている。製本束を形成するための画像シートＳ１は、図６（ｂ）の給紙段設定画面で設定されたサイズのシートの各形成面に、それぞれ画像形成パターンに従って製本束原稿の原稿画像が形成されたシートである。
【００８３】
製本処理トレイ５６０への画像シートＳ１の搬入が開始された後、ＣＰＵ９５２は、製本処理トレイ５６０内に略鉛直方向に沿って配置され、略水平方向に沿って搬入順に積層された画像シートＳ１からなるシート束７１０を形成する（ステップＳ２０５）。このとき、ＣＰＵ９５２は、後端押さえモータＭ２０を駆動し、図１３（ｂ）に示すように後端押さえ８０２によって画像シートＳ１の後端部を把持しつつ積層する。これによって、画像シートＳ１の座屈が回避され、製本処理トレイ５６０内に、適正なシート束が形成される。
【００８４】
図１３（ｂ）は、後端押さえ８０２が製本処理トレイ５６０に搬入された画像シートＳ１の後端部を把持する状態を示す図である。図１３（ｂ）において、製本処理トレイ５６０に搬入された画像シートＳ１の後端部は、後端押さえ８０２によって把持されている。なお、シート束が形成された後、後端押さえ８０２による画像シートＳ１の後端部の把持は解放される。
【００８５】
本実施の形態では、図７（ｂ）の挿入シート設定画面で挿入シートありが設定されている。従って、シート積層体としてのシート束７１０の先端側においては、所定の２枚の画像シートＳ１の間に、挿入シートＳ２が挟持されている。なお、本実施の形態において、複数の画像シートＳ１及び挿入シートＳ２を積層したシート積層体をシート束といい、該シート束を２つ折りして得られた所望のページに挿入シートＳ２が挿入されたシート束を製本束という。
【００８６】
図１２のフローチャートに戻り、シート束７１０を形成した（ステップＳ２０５）後、ＣＰＵ９５２は、画像シートＳ１が束最終紙であるか否かを判定する（ステップＳ２０６）。ステップＳ２０６の判定の結果、画像シートＳ１のシート情報より束最終紙フラグがＯＮの（ステップＳ１０６で「ＹＥＳ」）場合、ＣＰＵ９５２は、ステイプル指令がＯＮであるか否か判定する（ステップＳ２０７）。ステップＳ２０７の判定の結果、ステイプル指令がＯＮの（ステップＳ１０７で「ＹＥＳ」）場合、ＣＰＵ９５２は、ステイプル処理を実行する（ステップＳ２０８）。すなわち、ＣＰＵ９５２は、束移動モータＭ１７を駆動させて、製本処理トレイ５６０内のシート束７１０を、図１４（ａ）に示すように綴じ位置に移動させ、ステイプラモータＭ１８を駆動させてステイプラ８２０によってステイプル（綴じ）処理を実行する。
【００８７】
図１４は、製本処理トレイを示す図であって、図１４（ａ）は、ステイプル機能を説明するための図、図１４（ｂ）は、シート束が折り位置に移動した状態を示す図である。図１４（ａ）において、ステイプル処理を実行するために、シート束７１０は、綴じ位置まで移動されている。綴じ位置とは、シート束７１０の長手方向の中央部がステイプラ８２０と対向する位置をいう。
【００８８】
ステイプル処理が終了した後、ＣＰＵ９５２は、束移動モータＭ１７を駆動させて、図１４（ｂ）に示すように、シート束７１０を折り位置へ移動させる（ステップＳ２０９）。図１４（ｂ）は、シート束７１０が折り位置に移動された状態を示す図である。図１４（ｂ）において、シート束７１０は、折り位置まで移動されている。折り位置とは、シート束７１０の長さ方向の中央部が折りローラ対８１０ａ，８１０ｂ及び突出し部材８３０と対向する位置をいう。
【００８９】
シート束７１０を折り位置まで移動させた後、ＣＰＵ９５２は、後端押さえモータＭ２０と位置決め部材把持モータＭ２１を駆動させて、図１５に示したように、後端押さえ８０２と位置決め部材８０５でシート束７１０を把持する。図１５は、製本処理トレイを示す図であって、後端押さえと位置決め部材でシート束を把持し、その後、折り曲げ処理を実行する状態を示す図である。次いで、ＣＰＵ９５２は、折りモータＭ１５を駆動させて、折りローラ対８１０ａ、８１０ｂを回転させると同時に、突きモータＭ１６を駆動させて突出し部材８３０をシート束７１０に突き出してシート折り処理を実行する（ステップＳ２１０）。突出し部材８３０の突出し方向は１方向に固定されており、これ以外の方向に突き出されることはない。
【００９０】
ＣＰＵ９５２は、更に折りモータＭ１５を駆動させて折りローラ対８１０ａ、８１０ｂを回転させ、シート束７１０を折りたたみながら搬送する（ステップＳ２１１）。次いで、ＣＰＵ９５２は、製本搬送モータＭ１９を駆動させて製本搬送ローラ８１１a、８１１ｂを回転させ、これによって、シート束７１０を製本束として製本トレイ８５０へ排出する（ステップＳ２１２）。
【００９１】
製本束が製本トレイ８５０に排出された後、ＣＰＵ９５２は、シート束７１０を構成する画像シートＳ１が最終紙であるか否か判定する（ステップＳ２１３）。ステップＳ２１３の判定の結果、画像パターンに基づいて画像シートＳ１の最終紙フラグがＯＮであると判定した（ステップＳ２１３で「ＹＥＳ」）場合、ＣＰＵ９５２は、処理を終了する。
【００９２】
一方、ステップＳ２１３の判定の結果、画像シートＳ１の最終紙フラグがＯＦＦである（ステップＳ２１３で「ＮＯ」）場合、ＣＰＵ９５２は処理をステップＳ２０１に戻し、同様の処理を繰り返す。また、ＣＰＵ９５２は、ステップＳ２０６の判定の結果、画像シートＳ１が束最終紙でない（ステップＳ１０６で「ＮＯ」）場合も、処理をステップＳ２０１に戻し、同様の処理を繰り返す。また、ステップＳ２０７の判定の結果、ステイプル指令がＯＦＦである（ステップＳ２０７で「ＮＯ」）場合、ＣＰＵ９５２は、ステイプル処理を実行することなく、処理をステップＳ２０９に進める。
【００９３】
図１２の処理によれば、図９Ａで決定した画像形成パターンに従って画像が形成された画像シートＳ１及び挿入シートＳ２を用い、画像形成パターンで設定された順序で積層されたシート束を形成する。従って、このシート束を２つ折りすることによって画像シートＳ１からなるシート束の所定のページに挿入シートＳ２が挿入された製本束が形成される。
【００９４】
本実施の形態においては、挿入シートＳ２の挿入位置Ｙが製本束の前半ページであるか、後半ページであるかを判定する（図９Ａ，ステップＳ１０９）。また、本実施の形態においては、画像シートＳ１と同様、挿入シートＳ２の先端部を位置決め部材８０５に当接して位置決めする。そして、１方端で位置決めして形成したシート束において、挿入シートＳ２の挿入位置Ｙが前半ページか後半ページかによって、画像シートＳ１及び挿入シートＳ２に形成する原稿画像の割当て及び画像の方向が調整される。
【００９５】
図１６は、挿入シートの挿入ページによってシートの積層方法が異なるシート積層体（シート束）を示す模式図である。
【００９６】
図１６において、（ａ）挿入位置が後半ページの場合、シート束の下方に図１６の紙面上、手前側が表の挿入シートＳ２が挿入され、画像シートＳ１と挿入シートＳ２の図中左側が地、右側が天となるように積層されている。このシート積層体を２つ折りすると、シート束７１０の８ページと９ページの間に挿入シートＳ２が挿入された製本束が得られる。一方、（ｂ）挿入位置が中央又は前半ページの場合は、シート束の下方に図１６の紙面上、手前側が裏の挿入シートＳ２が挿入され、画像シートＳ１と挿入シートＳ２の図中左側が天、右側が地となるように、天地方向が（ａ）の場合と逆に積層されている。このシート積層体を２つ折りすると、シート束７１０の４ページと５ページの間に挿入シートＳ２が挿入された製本束が得られる。
【００９７】
また、本実施の形態においては、製本束が左開きであるか右開きであるかを判定する（同、ステップＳ１１０）。製本束が左開きであるか右開きであるかによって、各画像シートＳ１及び挿入シートＳ２に形成する原稿画像の割当て及び画像の向き、すなわち、天地方向を調整する必要があるからである。
【００９８】
本実施の形態において、製本束の前半ページに挿入シートＳ２を挿入させる場合と、製本束の後半ページに挿入シートＳ２を挿入させる場合とでは、画像シートＳ１に形成される原稿画像の天地方向が逆になる。また、挿入シートＳ２に形成される挿入シート原稿の表裏及び天地方向がそれぞれ逆になる。更にまた、製本束が左開きである場合と右開きである場合とで、画像シートＳ１に形成する製本束原稿の画像の順序が異なるように作成される。
【００９９】
本実施の形態においては、製本束における挿入シートＳ２の挿入ページ、製本束の見開き方向の如何に拘わらず、製本処理トレイ５６０において、挿入シートＳ２の一端を位置決め部材８０２に当接して挿入シートＳ２の位置決めを行う。これによって画像シートＳ１と挿入シートＳ２を正確に位置合わせすることができる。また、製本束における挿入シートＳ２の挿入ページ、製本束の見開き方向の如何に拘わらず、シート積層体を１方向に折り曲げてシート束７１０を形成する。これによって、一組の折りローラ対８１０ａ、８１０ｂ及び突出し部材８３０で、多種のシート束を形成することができる。
【０１００】
次に、具体的実施例について説明する。
【実施例１】
【０１０１】
以下、第１の画像形成パターンを作成する実施例１について説明する。
【０１０２】
画像形成パターンを決定するためのパラメータとして（１）挿入シートの有無、（２）挿入シートの挿入位置が製本束の前半ページか後半ページか、（３）製本束の見開き方向が左開きか又は右開きか、が挙げられる。
【０１０３】
なお、図７（ｂ）の挿入シート設定画面で設定された挿入シートの挿入位置（挿入シート設定位置）をＹ、製本束原稿の原稿枚数をＰとすると、挿入シートＳ２の挿入位置である前半ページ及び後半ページは、それぞれ以下のように定義することができる。
【０１０４】
前半ページ  ：  挿入シート設定位置Ｙ≦原稿枚数Ｐ／２（小数点以下切捨）
後半ページ  ：  挿入シート設定位置Ｙ＞原稿枚数Ｐ／２（小数点以下切捨）
上述のパラメータの組み合わせに基づいて、本実施例は、図９ＡのステップＳ１０４の判定結果が「ＹＥＳ」、ステップＳ１０９の判定の結果が「ＹＥＳ」で、かつステップＳ１１０の判定の結果が「ＹＥＳ」の場合に相当する事例である。第１の画像形成パターンに従って形成される製本束は、図１７（ａ）に示す製本束７１１となる。第１の画像形成パターンは、挿入シート有りが設定され、原稿画像枚数が１２枚、挿入シートＳ２の表面に挿入シート原稿の表面画像Ａが形成され、裏面に挿入シート原稿の裏面画像Ｂが形成され、製本束が左開きで、挿入シートの設定位置Ｙが前半ページとなる。図１７（ｂ）に示すように、第１の画像形成パターンでは、挿入シートＳ２は、原稿画像の２ページと３ページの間、原稿画像の４ページと５ページの間、又は、原稿画像の６ページと７ページの間に挿入される。
【０１０５】
すなわち、図１７は、実施例１における製本束及び当該製本束を得るための画像形成パターンを示す図である。図１７（ａ）において、Ａ３用紙が２つ折りされた製本束であって、本来最終ページとなる第１２ページの原稿画像が表面で、画像形成装置を正面から見て手前側が天、奥側が地となる天地方向の製本束７１１が示されている。また、図１７（ｂ）において、１枚目の画像シートＳ１の形成面１〜４にそれぞれ、原稿画像の第６、７、５及び８ページの原稿画像が形成され、２枚目の画像シートＳ１の形成面１〜４にそれぞれ、第４、９、３及び１０ページの原稿画面が形成されている。そして、３枚目の画像シートＳ１の形成面１〜４にそれぞれ、原稿画像の第２、１１、１及び１２ページの原稿画像が形成されている。また、挿入シートＳ２の表面には挿入シート画像の表面画像Ａが、裏面には挿入シート画像の裏面画像Ｂがそれぞれ形成されている。
【０１０６】
以下、図１７（ｂ）の画像形成パターンを設定するための画像形成パターン設定処理について説明する。
【０１０７】
図９Ａのフローチャートにおいて、ステップＳ１１０の判定の結果、製本束が左開きである場合（ステップＳ１１０で「ＹＥＳ」）、ＣＰＵ９０１は、挿入シートＳ２の表裏両面に、以下のように、原稿画像が形成されるように設定する。すなわち、ＣＰＵ９０１は、挿入シートＳ２の表面に、挿入シート原稿の表面画像Ａが形成され、挿入シートＳ２の裏面に、挿入シート原稿の裏面画像Ｂが形成されるように設定する（ステップＳ１１１）。
【０１０８】
次いで、ＣＰＵ９０１は、１枚目〜３枚目の画像シートＳ１に、それぞれ以下の製本束原稿画像（図１７（ｂ）参照）が形成されるように設定する（ステップＳ１１２）。すなわち、ＣＰＵ９０１は、
形成面１に、１枚目の画像シートだと原稿画像の第６ページ、２枚目の画像シートだと原稿画像の第４ページ、３枚目の画像シートだと原稿画像の第２ページが形成されるように設定する。
【０１０９】
また、形成面２に、１枚目の画像シートだと原稿画像の第７ページ、２枚目の画像シートだと原稿画像の第９ページ、３枚目の画像シートだと原稿画像の第１１ページが形成されるように設定する。
【０１１０】
また、形成面３に、１枚目の画像シートだと原稿画像の第５ページ、２枚目の画像シートだと原稿画像の第３ページ、３枚目の画像シートだと原稿画像の第１ページが形成されるように設定する。
【０１１１】
また、形成面４に、１枚目の画像シートだと原稿画像の第８ページ、２枚目の画像シートだと原稿画像の第１０ページ、３枚目の画像シートだと原稿画像の第１２ページが形成されるように設定する。
【０１１２】
ここで、原稿画像の全ページ数をＰ、フィニッシャ５００に搬送される画像シートＳ１の枚数を表す数をＮとすると、上記の画像シートＳ１の画像パターンは一般式で以下のように表される。
形成面１＝Ｐ／２ − ２（Ｎ−１）
形成面２＝Ｐ／２ ＋ ２（Ｎ−１） ＋ １
形成面３＝Ｐ／２ − ２（Ｎ−１） − １
形成面４＝Ｐ／２ ＋ ２（Ｎ−１） ＋ ２
図９Ａに戻り、ＣＰＵ９０１は、画像パターンを設定した後（ステップＳ１１２）、画像シートＳ１及び挿入シートＳ２に形成される画像の向きである天地方向の設定を行う。すなわち、ＣＰＵ９０１は、上述したように設定された画像シートＳ１及び挿入シートＳ２に形成される画像の天地方向の天が、画像形成装置を正面から見た場合手前側、地が奥側となるように設定する（ステップＳ１１３）。次いで、ＣＰＵ９０１は、設定した画像パターン及び画像の向きを含む画像形成パターンを、第１の画像形成パターンとしてＲＡＭ９０３に記憶し（ステップＳ１１４）、本処理を終了する。
【０１１３】
実施例１によれば、図１７（ａ）に記載したＡ３用紙が２つ折りされ、表面に挿入シート原稿の表面画像Ａが、裏面に裏面画像Ｂが形成された挿入シートＳ２を、前半ページに挿入した左開きの製本束を形成するための第１の画像形成パターンを形成できる。また、形成した第１の画像形成パターンに基づいて、画像形成装置１００による画像形成処理及びフィニッシャ５００による製本処理を実行することによって、所望のページに挿入シートＳ２が挿入された図１７（ａ）の製本束７１１を形成することができる。
【実施例２】
【０１１４】
次に、第２の画像形成パターンを作成する実施例２について説明する。
【０１１５】
本実施例は、図９ＡのステップＳ１０４の判定結果が「ＹＥＳ」、ステップＳ１０９の判定の結果が「ＹＥＳ」で、かつステップＳ１１０の判定の結果が「ＮＯ」の場合に相当する事例である。第２の画像形成パターンに従って形成される製本束は、図１８（ａ）に示す製本束７１２となる。第２の画像形成パターンは、挿入シート有りが設定され、原稿画像枚数が１２枚、挿入シートＳ２の表面に挿入シート原稿の表面画像Ａが形成され、裏面に挿入シート原稿の裏面画像Ｂが形成され、製本束が右開きとなり、挿入シートの設定位置Ｙが前半ページとなる。図１８（ｂ）に示すように、第２の画像形成パターンでは、挿入シートＳ２は、原稿画像の２ページと３ページの間、原稿画像の４ページと５ページの間、又は、原稿画像の６ページと７ページの間に挿入される。
【０１１６】
図１８は、実施例２における製本束及び当該製本束を得るための画像形成パターンを示す図である。図１８（ａ）において、Ａ３用紙が２つ折りされた製本束であって、本来最終ページとなる第１２ページの原稿画像が表面で、画像形成装置を正面から見て手前側が地、奥側が天となる天地方向の製本束７１２が示されている。また、図１８（ｂ）において、１枚目の画像シートＳ１の形成面１〜４にそれぞれ、原稿画像の第６、７、５及び８ページの原稿画像が形成され、２枚目の画像シートＳ１の形成面１〜４にそれぞれ、第４、９、３及び１０ページの原稿画像が形成されている。そして、３枚目の画像シートＳ１の形成面１〜４にそれぞれ、原稿画像の第２、１１、１及び１２ページの原稿画像が形成されている。また、挿入シートＳ２の表面には挿入シート画像の表面画像Ａ、裏面には挿入シート画像の裏面画像Ｂが形成されている。
【０１１７】
以下、図１８（ｂ）の画像パターンを形成するための画像形成パターン設定処理について説明する。
【０１１８】
図９Ａのフローチャートにおいて、ステップＳ１１０の判定の結果、製本束が左開きでなく右開きである場合（ステップＳ１１０で「ＮＯ」）、ＣＰＵ９０１は、挿入シートＳ２の表裏両面に、以下のように原稿画像が形成されるように設置する。すなわち、ＣＰＵ９０１は、挿入シートＳ２の表面に、挿入シート原稿の表面画像（Ａ）が形成され、挿入シートＳ２の裏面に、挿入シート原稿の裏面画像（Ｂ）が形成されるように設定する（ステップＳ１２１）。
【０１１９】
次いで、ＣＰＵ９０１は、１枚目〜３枚目の画像シートＳ１に、それぞれ以下の製本束原稿画像（図１８（ｂ）参照）が形成されるように設定する（ステップＳ１２２）。すなわち、ＣＰＵ９０１は、
形成面１に、１枚目の画像シートだと原稿画像の第６ページ、２枚目の画像シートだと原稿画像の第４ページ、３枚目の画像シートだと原稿画像の第２ページが形成されるように設定する。
【０１２０】
また、形成面２に、１枚目の画像シートだと原稿画像の第７ページ、２枚目の画像シートだと原稿画像の第９ページ、３枚目の画像シートだと原稿画像の第１１ページが形成されるように設定する。
【０１２１】
また、形成面３に、１枚目の画像シートだと原稿画像の第５ページ、２枚目の画像シートだと原稿画像の第３ページ、３枚目の画像シートだと原稿画像の第１ページが形成されるように設定する。
【０１２２】
また、形成面４に、１枚目の画像シートだと原稿画像の第８ページ、２枚目の画像シートだと原稿画像の第１０ページ、３枚目の画像シートだと原稿画像の第１２ページが形成されるように設定する。
【０１２３】
ここで、原稿画像の全ページ数をＰ、フィニッシャ５００に搬送される画像シートＳ１の枚数を表す数をＮとすると、上記の画像シートＳ１の画像パターンは、実施例１と同様、一般式で以下のように表される。
形成面１＝Ｐ／２ − ２（Ｎ−１）
形成面２＝Ｐ／２ ＋ ２（Ｎ−１） ＋ １
形成面３＝Ｐ／２ − ２（Ｎ−１） − １
形成面４＝Ｐ／２ ＋ ２（Ｎ−１） ＋ ２
図９Ａに戻り、ＣＰＵ９０１は、画像パターンを設定した後（ステップＳ１２２）、画像シートＳ１及び挿入シートＳ２に形成される画像の向きである天地方向の設定を行う。すなわち、ＣＰＵ９０１は、上述したように設定された画像シートＳ１及び挿入シートＳ２に形成される画像の天地方向の地が、画像形成装置を正面から見た場合手前側、天が奥側となるように設定する（ステップＳ１２３）。次いで、ＣＰＵ９０１は、設定した画像パターン及び画像の向きを含む画像形成パターンを、第２の画像形成パターンとしてＲＡＭ９０３に記憶し（ステップＳ１１４）、本処理を終了する。
【０１２４】
実施例２によれば、図１８（ａ）に記載したＡ３用紙が２つ折りされ、表面に挿入シート原稿の表面画像Ａが、裏面に裏面画像Ｂが形成された挿入シートＳ２を、前半ページに挿入した右開きの製本束を形成するための第２の画像形成パターンを形成できる。また、設定した第２の画像形成パターンに基づいて、画像形成装置１００による画像形成処理及びフィニッシャ５００による製本処理を実行することによって、所望のページに挿入シートＳ２が挿入された図１８（ａ）の製本束７１２を形成することができる。
【０１２５】
なお、本実施の形態において、挿入シートＳ２は、図７（ｂ）の挿入シート設定画面において、製本束７１２の前半ページ、例えば、４ページと５ページの間に挿入するように設定される。
【実施例３】
【０１２６】
以下、第３の画像形成パターンを作成する実施例３について説明する。
【０１２７】
本実施例は、図９ＡのステップＳ１０４の判定結果が「ＹＥＳ」、ステップＳ１０９の判定の結果が「ＮＯ」で、かつ図９ＢのステップＳ１３０の判定結果が「ＹＥＳ」の場合に相当する事例である。第３の画像形成パターンに従って形成される製本束は、図１９（ａ）に示す製本束７１３となる。第３の画像形成パターンは、挿入シート有りが設定され、原稿画像枚数が１２枚、挿入シートＳ２の表面に挿入シート原稿の裏面画像Ｂが形成され、裏面に挿入シート原稿の表面画像Ａが形成され、製本束が左開きとなり、挿入シートの設定位置Ｙが後半ページとなる。図１９（ｂ）に示すように、第３の画像パターンでは、挿入シートＳ２は、原稿画像の８ページと９ページの間、又は原稿画像の１０ページと１１ページの間に挿入される。
【０１２８】
図１９は、実施例３における製本束及び当該製本束を得るための画像形成パターンを示す図である。図１９（ａ）において、Ａ３用紙が２つ折りされた製本束であって、第１ページの原稿画像が表面で、画像形成装置を正面から見て手前側が地、奥側が天となる天地方向の製本束７１３が示されている。また、図１９（ｂ）において、１枚目の画像シートＳ１の形成面１〜４にそれぞれ、原稿画像の第７、６、８及び５ページの原稿画像が形成され、２枚目の画像シートＳ１の形成面１〜４にそれぞれ、第９、４、１０及び３ページの原稿画像が形成されている。そして、３枚目の画像シートＳ１の形成面１〜４にそれぞれ、原稿画像の第１１、２、１２及び１ページの原稿画像が形成されている。また、挿入シートＳ２の表面には挿入シート原稿の裏面画像（Ｂ）が、挿入シートＳ２の裏面には挿入シート原稿の表面画像（Ａ）が形成されている。
【０１２９】
以下、図１９（ｂ）の画像形成パターンを形成するための画像形成パターン設定処理について説明する。
【０１３０】
図９Ｂのフローチャートに戻り、ステップＳ１３０の判定の結果、製本束が左開きである場合（ステップＳ１３０で「ＹＥＳ」）、ＣＰＵ９０１は、挿入シートＳ２の表裏両面に、以下のように、原稿画像が形成されるように設定する。すなわち、ＣＰＵ９０１は、挿入シートＳ２の表面に、挿入シート原稿の裏面画像（Ｂ）が形成され、挿入シートＳ２の裏面に、挿入シート原稿の表面画像（Ａ）が形成されるように設定する（ステップＳ１３１）。
【０１３１】
次いで、ＣＰＵ９０１は、１枚目〜３枚目の画像シートＳ１に、それぞれ以下の製本束の原稿画像（図１９（ｂ）参照）が形成されるように設定する（ステップＳ１３２）。すなわち、ＣＰＵ９０１は、
形成面１に、１枚目の画像シートだと原稿画像の第７ページ、２枚目の画像シートだと原稿画像の第９ページ、３枚目の画像シートだと原稿画像の第１１ページが形成されるように設定する。
【０１３２】
また、形成面２に、１枚目の画像シートだと原稿画像の第６ページ、２枚目の画像シートだと原稿画像の第４ページ、３枚目の画像シートだと原稿画像の第２ページが形成されるように設定する。
【０１３３】
また、形成面３に、１枚目の画像シートだと原稿画像の第８ページ、２枚目の画像シートだと原稿画像の第１０ページ、３枚目の画像シートだと原稿画像の第１２ページが形成されるように設定する。
【０１３４】
また、形成面４に、１枚目の画像シートだと原稿画像の第５ページ、２枚目の画像シートだと原稿画像の第３ページ、３枚目の画像シートだと原稿画像の第１ページが形成されるように設定する。
【０１３５】
ここで、原稿画像の全ページ数をＰ、フィニッシャ５００に搬送される画像シートＳ１の枚数を表す数をＮとすると、上記の画像シートＳ１の画像パターンは、一般式で以下のように表される。
形成面１＝Ｐ／２ ＋ ２（Ｎ−１） ＋ １
形成面２＝Ｐ／２ − ２（Ｎ−１）  
形成面３＝Ｐ／２ ＋ ２（Ｎ−１） ＋ ２
形成面４＝Ｐ／２ − ２（Ｎ−１） − １
図９Ｂに戻り、ＣＰＵ９０１は画像パターンを設定した後（ステップＳ１３２）、画像シートＳ１及び挿入シートＳ２に形成される画像の向きである天地方向の設定を行う。すなわち、ＣＰＵ９０１は、上述したように設定された画像シートＳ１及び挿入シートＳ２に形成される画像の天地方向の地が、画像形成装置を正面から見た場合手前側、天が奥側となるように設定する（ステップＳ１３３）。次いで、ＣＰＵ９０１は、設定した画像パターン及び画像の向きを含む画像形成パターンを、第３の画像形成パターンとしてＲＡＭ９０３に記憶し（ステップＳ１１４）、本処理を終了する。
【０１３６】
実施例３によれば、図１９（ａ）に記載したＡ３用紙が２つ折りにされ、挿入シートが後半ページに挿入された左開きの製本束７１３を形成するための第３の画像形成パターンを形成することができる。また、設定した第３の画像形成パターンに基づいて、画像形成装置１００による画像形成処理及びフィニッシャ５００による製本処理を実行することによって、所望のページに挿入シートＳ２が挿入された図１９（ａ）の製本束７１３を形成することができる。
【０１３７】
なお、本実施の形態において、挿入シートＳ２は、図７（ｂ）の挿入シート設定画面において製本束７１３の後半ページ、例えば、１０ページと１１ページの間に挿入するように設定される。
【実施例４】
【０１３８】
以下、第４の画像形成パターンを作成する実施例４について説明する。
【０１３９】
本実施例は、図９ＡのステップＳ１０４の判定結果が「ＹＥＳ」、ステップＳ１０９の判定の結果が「ＮＯ」で、かつ図９ＢのステップＳ１３０の判定結果が「ＮＯ」の場合に相当する事例である。第４の画像形成パターンに従って形成される製本束は、図２０（ａ）に示す製本束７１４となる。第４の画像形成パターンは、挿入シート有りが設定され、原稿画像枚数が１２枚、挿入シートＳ２の表面に挿入シート原稿の裏面画像Ｂが形成され、裏面に挿入シート原稿の表面画像Ａが形成され、製本束が右開きとなり、挿入シートの設定位置Ｙが後半ページとなる。図２０（ｂ）に示すように、第４の画像形成パターンでは、挿入シートＳ２は、原稿画像の８ページと９ページの間、又は、原稿画像の１０ページと１１ページの間に挿入される。
【０１４０】
図２０は、実施例４における製本束及び当該製本束を得るための画像形成パターンを示す図である。図２０（ａ）において、Ａ３用紙が２つ折りされた製本束であって、原稿画像の第１ページが表面で、画像形成装置を正面から見て手前側が天、奥側が地となる天地方向の製本束７１４が示されている。また、図２０（ｂ）において、１枚目の画像シートＳ１の形成面１〜４にそれぞれ、原稿画像の第７、６、８及び５ページの原稿画像が形成され、２枚目の画像シートＳ１の形成面１〜４にそれぞれ、第９、４、１０及び３ページの原稿画像が形成されている。そして、３枚目の画像シートＳ１の形成面１〜４にそれぞれ、原稿画像の第１１、２、１２及び１ページの原稿画像が形成されている。また、挿入シートＳ２の表面には挿入シート原稿の裏面画像（Ｂ）が、挿入シートＳ２の裏面には挿入シート原稿の表面画像（Ａ）が形成されている。
【０１４１】
以下、図２０（ｂ）の画像形成パターンを形成するための画像形成パターン設定処理について説明する。
【０１４２】
図９Ｂのフローチャートに戻り、ステップＳ１３０の判定の結果、製本束が左開きでなく右開き（ステップＳ１３０で「ＮＯ」）の場合、ＣＰＵ９０１は、以下のように原稿画像が形成されるように設置する。すなわち、ＣＰＵ９０１は、挿入シートＳ２の表面に、挿入シート原稿の裏面画像（Ｂ）が形成され、挿入シートＳ２の裏面に、挿入シート原稿の表面画像（Ａ）が形成されるように設定する（ステップＳ１４１）。
【０１４３】
次いで、ＣＰＵ９０１は、１枚目〜３枚目の画像シートＳ１に、それぞれ以下の製本束原稿の原稿画像が形成されるように設定する（ステップＳ１４２）。すなわち、ＣＰＵ９０１は、
形成面１に、１枚目の画像シートＳ１だと原稿画像の第７ページ、２枚目の画像シートＳ１だと原稿画像の第９ページ、３枚目の画像シートＳ１だと原稿画像の第１１ページが形成されるように設定する。
【０１４４】
また、形成面２に、１枚目の画像シートＳ１だと原稿画像の第６ページ、２枚目の画像シートＳ１だと原稿画像の第４ページ、３枚目の画像シートＳ１だと原稿画像の第２ページが形成されるように設定する。
【０１４５】
また、形成面３に、１枚目の画像シートＳ１だと原稿画像の第８ページ、２枚目の画像シートＳ１だと原稿画像の第１０ページ、３枚目の画像シートＳ１だと原稿画像の第１２ページが形成されるように設定する。
【０１４６】
また、形成面４に、１枚目の画像シートＳ１だと原稿画像の第５ページ、２枚目の画像シートＳ１だと原稿画像の第３ページ、３枚目の画像シートＳ１だと原稿画像の第１ページが形成されるように設定する。
【０１４７】
ここで、原稿画像の全ページ数をＰ、フィニッシャ５００に搬送される画像シートＳ１の枚数を表す数をＮとすると、上記の画像シートＳ１の画像パターンは一般式で以下のように表される。
形成面１＝Ｐ／２ ＋ ２（Ｎ−１） ＋ １
形成面２＝Ｐ／２ − ２（Ｎ−１）  
形成面３＝Ｐ／２ ＋ ２（Ｎ−１） ＋ ２
形成面４＝Ｐ／２ − ２（Ｎ−１） − １
図９Ｂに戻り、ＣＰＵ９０１は、画像パターンを設定した後（ステップＳ１４２）、画像シートＳ１及び挿入シートＳ２に形成される画像の向きである天地方向の設定を行う。すなわち、ＣＰＵ９０１は、上述したように設定された画像シートＳ１及び挿入シートＳ２に形成される画像の天地方向の天が、画像形成装置を正面から見た場合手前側、地が奥側となるように設定する（ステップＳ１４３）。次いで、ＣＰＵ９０１は、設定した画像パターン及び画像の向きを含む画像形成パターンを、第４の画像形成パターンとしてＲＡＭ９０３に記憶し（ステップＳ１１４）、本処理を終了する。
【０１４８】
実施例４によれば、図２０（ａ）に記載したＡ３用紙が２つ折りされ、表面に挿入シート原稿の裏面画像Ｂが、裏面に表面画像Ａが形成された挿入シートＳ２を、後半ページに挿入した右開きの製本束７１４を形成するための第４の画像形成パターンを形成できる。また、設定した第４の画像形成パターンに基づいて、画像形成装置１００による画像形成処理及びフィニッシャ５００による製本処理を実行することによって、所望のページに挿入シートＳ２が挿入された図２０（ａ）の製本束７１４を形成することができる。
【０１４９】
なお、本実施の形態において、挿入シートＳ２は、図７（ｂ）の挿入シート設定画面において製本束７１４の後半ページ、例えば、１０ページと１１ページの間に挿入するように設定される。
［比較例１］
【０１５０】
次に、挿入シートを挿入しない比較例１について説明する。
【０１５１】
比較例１は、図９ＡのステップＳ１０４の判定結果が「ＮＯ」（挿入シートなし）で、かつ図９ＣのステップＳ１５０の判定結果が「ＹＥＳ」（製本束は左開き）の場合に相当する事例である。比較例１の画像形成パターンに従って形成される製本束は、図２１（ａ）に示す製本束７１５となる。比較例１の画像パターンは、挿入シートなしが設定され、原稿画像枚数が１２枚、製本束が左開きとなる。
【０１５２】
図２１は、比較例１における製本束及び当該製本束を得るための画像形成パターンを示す図である。図２１（ａ）において、Ａ３の画像シートＳ１が２つ折りされた製本束であって、原稿画像の第１ページが表面で、画像形成装置を正面から見て手前側が地、奥側が天となる天地方向の製本束７１５が示されている。図２１（ｂ）は、図２１（ａ）の製本束を形成するための画像形成パターンを示している。
【０１５３】
以下、図２１（ｂ）の画像形成パターンを形成するための画像形成パターン設定処理について説明する。
【０１５４】
図９Ａのフローチャートにおいて、ステップＳ１０４の判定の結果、挿入シートの設定がない（ステップＳ１０４で「ＮＯ」）場合、ＣＰＵ９０１は、処理を、図９ＣのステップＳ１５０に進め、製本束が左開きであるか否か判定する。ステップＳ１５０の判定の結果、製本束が左開きである（ステップＳ１５０で「ＹＥＳ」）場合、ＣＰＵ９０１は、１枚目〜３枚目の画像シートＳ１に、それぞれ図２１（ｂ）に示した原稿画像が形成されるように設定する（ステップＳ１５２）。すなわち、ＣＰＵ９０１は、
形成面１に、１枚目の画像シートＳ１だと原稿画像の第７ページ、２枚目の画像シートＳ１だと原稿画像の第９ページ、３枚目の画像シートＳ１だと原稿画像の第１１ページが形成されるように設定する。
【０１５５】
また、形成面２に、１枚目の画像シートＳ１だと原稿画像の第６ページ、２枚目の画像シートＳ１だと原稿画像の第４ページ、３枚目の画像シートＳ１だと原稿画像の第２ページが形成されるように設定する。
【０１５６】
また、形成面３に、１枚目の画像シートＳ１だと原稿画像の第８ページ、２枚目の画像シートＳ１だと原稿画像の第１０ページ、３枚目の画像シートＳ１だと原稿画像の第１２ページが形成されるように設定する。
【０１５７】
また、形成面４に、１枚目の画像シートＳ１だと原稿画像の第５ページ、２枚目の画像シートＳ１だと原稿画像の第３ページ、３枚目の画像シートＳ１だと原稿画像の第１ページが形成されるように設定する。
【０１５８】
ここで、原稿画像の全ページ数をＰ、フィニッシャ５００に搬送される画像シートＳ１の枚数を表す数をＮとすると、上記の画像パターンは一般式で以下のように表される。
形成面１＝Ｐ／２ ＋ ２（Ｎ−１） ＋ １
形成面２＝Ｐ／２ − ２（Ｎ−１）  
形成面３＝Ｐ／２ ＋ ２（Ｎ−１） ＋ ２
形成面４＝Ｐ／２ − ２（Ｎ−１） − １
図９Ｃに戻り、ＣＰＵ９０１は、画像パターンを設定した後（ステップＳ１５２）、画像シートＳ１に形成される原稿画像の向きである天地方向の設定を行う。すなわち、ＣＰＵ９０１は、図２１（ａ）に示したように、画像形成装置を正面から見た場合手前側が地、奥側が天となるように天地方向を設定する（ステップＳ１５３）。次いで、ＣＰＵ９０１は、処理をステップＳ１１４に進め、画像パターン及び原稿画像の向きの設定情報を含む画像形成パターンをＲＡＭ９０３に記憶し、画像形成パターン設定処理を終了する。
【０１５９】
比較例１によれば、図２１（ａ）に記載したＡ３用紙が２つ折りされた、左開きの製本束７１５を形成するための画像形成パターンを形成することができる。なお、実施例５では、挿入シートＳ２の挿入は、設定されていない。
［比較例２］
【０１６０】
次に、挿入シートを挿入しない比較例２について説明する。
【０１６１】
比較例２は、図９ＡのステップＳ１０４の判定結果が「ＮＯ」（挿入シートなし）で、かつ図９ＣのステップＳ１５０の判定の結果が「ＮＯ」（製本束は左開きでなく、右開き）の場合に相当する事例である。比較例２の画像形成パターンに従って形成される製本束は、図２２（ａ）に示す製本束７１６となる。比較例２の画像パターンは、挿入シートなしが設定され、原稿画像枚数が１２枚、製本束が右開きとなる。
【０１６２】
図２２は、比較例２における製本束及び当該製本束を得るための画像形成パターンを示す図である。図２２（ａ）において、Ａ３の画像シートが２つ折りされた製本束であって、原稿画像の第１２ページが表面で、画像形成装置を正面から見て手前側が地、奥側が天となる天地方向の製本束７１６が示されている。図２２（ｂ）は、図２２（ａ）の製本束を形成するための画像形成パターンを示すものである。
【０１６３】
以下、図２２（ｂ）の画像形成パターンを形成するための画像形成パターン設定処理について説明する。
【０１６４】
図９Ａのフローチャートにおいて、ステップＳ１０４の判定の結果、挿入シートの設定がない（ステップＳ１０４で「ＮＯ」）場合、ＣＰＵ９０１は、処理を、図９ＣのステップＳ１５０に進め、製本束が左開きであるか否か判定する。ステップＳ１５０の判定の結果、製本束が左開きでなく右開きである（ステップＳ１５０で「ＮＯ」）場合、ＣＰＵ９０１は、１枚目〜３枚目の画像シートＳ１に、それぞれ図２２（ｂ）に示した原稿画像が形成されるように設定する（ステップＳ１６２）。すなわち、ＣＰＵ９０１は、
形成面１に、１枚目の画像シートだと原稿画像の第６ページ、２枚目の画像シートだと原稿画像の第４ページ、３枚目の画像シートだと原稿画像の第２ページが形成されるように設定する。
【０１６５】
また、形成面２に、１枚目の画像シートだと原稿画像の第７ページ、２枚目の画像シートだと原稿画像の第９ページ、３枚目の画像シートだと原稿画像の第１１ページが形成されるように設定する。
【０１６６】
また、形成面３に、１枚目の画像シートだと原稿画像の第５ページ、２枚目の画像シートだと原稿画像の第３ページ、３枚目の画像シートだと原稿画像の第１ページが形成されるように設定する。
【０１６７】
また、形成面４に、１枚目の画像シートだと原稿画像の第８ページ、２枚目の画像シートだと原稿画像の第１０ページ、３枚目の画像シートだと原稿画像の第１２ページが形成されるように設定する。
【０１６８】
ここで、原稿画像の全ページ数をＰ、フィニッシャ５００に搬送される原稿シートＳ１の枚数を表す数をＮとすると、上記の画像パターンは一般式で以下のように表される。
形成面１＝Ｐ／２ − ２（Ｎ−１）
形成面２＝Ｐ／２ ＋ ２（Ｎ−１） ＋ １
形成面３＝Ｐ／２ − ２（Ｎ−１） − １
形成面４＝Ｐ／２ ＋ ２（Ｎ−１） ＋ ２
図９Ｃに戻り、ＣＰＵ９０１は、画像パターンを設定した後（ステップＳ１６２）、画像シートＳ１に形成される原稿画像の向きである天地方向の設定を行う。すなわち、ＣＰＵ９０１は、図２２（ａ）に示したように、画像形成装置を正面から見た場合手前側が地、奥側が天となるように天地方向を設定する（ステップＳ１６３）。次いで、ＣＰＵ９０１は、処理をステップＳ１１４に進め、画像パターン及び原稿画像の向きの設定情報を含む画像形成パターンをＲＡＭ９０３に記憶し、本画像形成パターン設定処理を終了する。
【０１６９】
比較例２によれば、図２２（ａ）に記載したＡ３用紙が２つ折りされた、右開きの製本束７１６を形成するための画像形成パターンを設定することができる。なお、実施例６では、挿入シートの挿入は、設定されていない。
【０１７０】
実施例１〜４によれば、製本束が左開きか右開きかによって、かつ挿入シートＳ２の挿入位置Ｙが、前半ページか後半ページかに従って、挿入シートＳ２が所望のページに挿入された製本束を形成するための画像パターンを決定した画像形成パターンを形成する。この画像形成パターンに従って画像シートＳ１及び挿入シートＳ２を形成し、フィニッシャ５００の製本処理トレイ５６０に搬入する。これによって、画像シートＳ１及び挿入シートＳ２が所定順序で積層され、その先端部をそれぞれ位置決め部材８０５に当接して位置決めされたシート積層体が形成される。形成されたシート積層体に対して折り処理を施して２つ折りすることによって、所望のページに挿入シートＳ２が挿入された製本束を形成することができる。
【０１７１】
本実施の形態において、ステイプラ８２０を用いた綴じ処理は、必要に応じて実行されるものであり、省略することもできる。
【符号の説明】
【０１７２】
１００  画像形成装置
２００  イメージリーダ
３００  原稿給送装置
３５０  プリンタ
５００  フィニッシャ（シート処理装置）
５６０：製本処理トレイ
６００  操作表示装置
６２０：表示部
８０１：搬送ローラ
８０５：位置決め部材
８１０a、８１０ｂ：折りローラ対
８３０：突き出し部材
９０１：ＣＰＵ
９５２：ＣＰＵ
Ｓ１：画像シート
Ｓ２：挿入シート
【図１】
2016060121.tif 000003
【図２】
2016060121.tif 000004
【図３】
2016060121.tif 000005
【図４】
2016060121.tif 000006
【図５】
2016060121.tif 000007
【図６】
2016060121.tif 000008
【図７】
2016060121.tif 000009
【図８】
2016060121.tif 000010
【図９Ａ】
2016060121.tif 000011
【図９Ｂ】
2016060121.tif 000012
【図９Ｃ】
2016060121.tif 000013
【図１０】
2016060121.tif 000014
【図１１】
2016060121.tif 000015
【図１２】
2016060121.tif 000016
【図１３】
2016060121.tif 000017
【図１４】
2016060121.tif 000018
【図１５】
2016060121.tif 000019
【図１６】
2016060121.tif 000020
【図１７】
2016060121.tif 000021
【図１８】
2016060121.tif 000022
【図１９】
2016060121.tif 000023
【図２０】
2016060121.tif 000024
【図２１】
2016060121.tif 000025
【図２２】
2016060121.tif 000026
【図２３】
2016060121.tif 000027
【図２４】
2016060121.tif 000028